(57)【特許請求の範囲】
【請求項１】
外部電源から入力される電圧を整流する整流部と、
前記整流部の出力電圧を平滑化する平滑コンデンサと、
前記平滑コンデンサにより平滑化された電圧を所定電圧に変換し、省電力モード時に電圧の供給が停止される特定の負荷を含む複数の負荷に供給する電圧変換部と、
前記整流部への電圧の入力の有無を検出して検出信号を出力する検出部と、
前記電圧変換部と前記特定の負荷との間に介在された開閉スイッチと、
外部から前記特定の負荷が省電力モードであるか否かを示す省電力信号及び前記検出部から前記検出信号が入力され、前記省電力信号が省電力モードである場合に、前記開閉スイッチを開き前記特定の負荷への電圧の供給を停止し、前記省電力信号が省電力モード状態で、前記検出信号が前記整流部への電圧の入力が無いことを示した場合には、前記開閉スイッチを閉じて前記電圧変換部から前記特定の負荷へ電圧を供給させる出力制御部と、
を備えること、
を特徴とする電源装置。
【請求項２】
外部電源から供給される電圧を電源とする電源装置と、省電力モード時に電圧の供給が停止される特定の負荷を含む複数の負荷と、当該特定の負荷の動作を制御する状態制御部と、を備え、前記複数の負荷に前記電源装置から電圧が供給される画像形成装置において、
前記状態制御部は、
前記特定の負荷が省電力モードであるか否かを示す省電力信号を前記電源装置に出力し、
前記電源装置は、
前記外部電源から入力される電圧を整流する整流部と、
前記整流部の出力電圧を平滑化する平滑コンデンサと、
前記平滑コンデンサにより平滑化された電圧を所定電圧に変換して前記特定の負荷に供給する電圧変換部と、
前記整流部への電圧の入力の有無を検出して検出信号を出力する検出部と、
前記電圧変換部と前記特定の負荷との間に介在された開閉スイッチと、
前記状態制御部から入力される前記省電力信号及び前記検出部から入力される前記検出信号に基づいて、前記省電力信号が省電力モードである場合に、前記開閉スイッチを開き前記特定の負荷への電圧の供給を停止し、前記省電力信号が省電力モード状態で、前記検出信号が前記整流部への電圧の入力が無いことを示した場合には前記開閉スイッチを閉じて前記電圧変換部から前記特定の負荷へ電圧を供給させる出力制御部と、
を有すること、
を特徴とする画像形成装置。
【請求項３】
外部電源から供給される電圧を電源とする電源装置と、前記電源装置から電圧が供給される特定の負荷を含む複数の負荷と、当該特定の負荷の動作を制御する状態制御部と、を備えた画像形成装置において、
前記状態制御部は、
前記特定の負荷が省電力モードであるか否かを示す省電力信号を前記電源装置に出力し、
前記電源装置は、
前記外部電源から入力される電圧を整流する整流部と、
前記整流部の出力電圧を平滑化する平滑コンデンサと、
前記平滑コンデンサにより平滑化された電圧を所定電圧に変換して前記特定の負荷に供給する電圧変換部と、
前記整流部への電圧の入力の有無を検出して検出信号を出力する検出部と、
前記電圧変換部と前記特定の負荷との間に介在された開閉スイッチと、
前記状態制御部から入力される前記省電力信号及び前記検出部から入力される前記検出信号に基づいて、前記省電力信号が省電力モードであることを示し、且つ、前記検出信号が前記整流部への電圧の入力が無いことを示した場合には前記開閉スイッチを閉じて前記電圧変換部から前記特定の負荷へ電圧を供給させる出力制御部と、
を有し、
前記検出部から前記検出信号が入力され、
前記特定の負荷が省電力モードであり、且つ、前記検出信号が前記整流部への電圧の入力が無いことを示している場合には、前記特定の負荷の動作をリセットするリセット信号を前記特定の負荷へ出力すること、
を特徴とする画像形成装置。
【発明の詳細な説明】
【技術分野】
【０００１】
本発明は、電源装置及び画像形成装置に関する。
【背景技術】
【０００２】
商用電源等の外部電源から入力される交流電圧を、整流器、平滑コンデンサ、ＤＣ／ＤＣコンバータからなる電源装置が知られている。
このような電源装置において、外部電源から入力される交流電圧の入力が停止した場合には、平滑コンデンサの蓄積電荷の放出が終わるまで、電源装置から負荷への電圧供給が継続される。そのため、平滑コンデンサの放電が終了するまでは、感電する恐れあり危険である。
【０００３】
そこで、整流器と、コンデンサと、整流器及びコンデンサによって平滑化された電圧を直流に変換して出力する定電圧制御部と、を備えた直流安定化電源装置において、外部からの入力電圧の供給が停止した後でも、コンデンサが蓄えた電荷を定電圧制御部に供給する供給装置２０を備え、外部からの入力電圧の供給が停止しても、所定時間は定電圧制御部の動作が継続させることにより、コンデンサに残留した電荷を低下させる技術が開示されている（特許文献１参照）。
【先行技術文献】
【特許文献】
【０００４】
【特許文献１】特開２００２−１０６２６号公報
【発明の概要】
【発明が解決しようとする課題】
【０００５】
しかしながら、特許文献１では、電源装置内に、コンデンサに蓄えられた電荷を定電圧制御部に消費させるための回路（供給装置）を備える必要がある。また、先行文献１では、外部からの入力電圧の供給が停止した後も定電圧制御部が動作し続けるため、直流安定化電源からの電力供給を受ける負荷は、外部からの入力電圧の供給が停止する前と同様の状態で動作し、感電や誤動作が発生するおそれがあり危険である。
【０００６】
更に、電源装置から各負荷への供給している電圧値が定格値である場合（通常モード）において、外部からの入力電圧の供給が停止したタイミングから瞬断規定や出力保持時間規定により定められた時間が経過するまでは、各負荷へ供給される電圧値を定格値で維持しなくてはならない。そのため、負荷の増加に伴って、容量の大きいコンデンサが必要となっている。
【０００７】
しかし、電源装置から電圧が供給されない省電力モードの負荷がある場合には、電源装置から出力される電圧値が非常に小さいのに対しコンデンサ容量が大きいため、外部電源からの電圧の入力が停止したときからコンデンサに残留した電荷が消費されるまでの期間が、通常モードよりも非常に長くなるという問題が生じる。
従って、外部電源からの電圧の入力を停止する電源スイッチをＯＦＦしたユーザが、負荷を触れてしまうと、短絡放電によってユーザが感電したり、負荷が破損したり、負荷が誤動作する等の危険な問題が発生するおそれがある。
【０００８】
本発明の課題は、上記問題に鑑みて、電源装置から電圧が入力される負荷が省電力モードの場合において、電源装置への入力電圧の供給が停止された場合での、電源装置の安全性の向上を図ることである。
【課題を解決するための手段】
【０００９】
請求項１に記載の発明は、外部電源から入力される電圧を整流する整流部と、前記整流部の出力電圧を平滑化する平滑コンデンサと、前記平滑コンデンサにより平滑化された電圧を所定電圧に変換し、省電力モード時に電圧の供給が停止される特定の負荷を含む複数の負荷に供給する電圧変換部と、前記整流部への電圧の入力の有無を検出して検出信号を出力する検出部と、前記電圧変換部と前記特定の負荷との間に介在された開閉スイッチと、外部から前記特定の負荷が省電力モードであるか否かを示す省電力信号及び前記検出部から前記検出信号が入力され、前記省電力信号が省電力モードである場合に、前記開閉スイッチを開き前記特定の負荷への電圧の供給を停止し、前記省電力信号が省電力モード状態で、前記検出信号が前記整流部への電圧の入力が無いことを示した場合には、前記開閉スイッチを閉じて前記電圧変換部から前記特定の負荷へ電圧を供給させる出力制御部と、を備えること、を特徴とする電源装置である。
【００１０】
請求項２に記載の発明は、外部電源から供給される電圧を電源とする電源装置と、省電力モード時に電圧の供給が停止される特定の負荷を含む複数の負荷と、当該特定の負荷の動作を制御する状態制御部と、を備え、前記複数の負荷に前記電源装置から電圧が供給される画像形成装置において、前記状態制御部は、前記特定の負荷が省電力モードであるか否かを示す省電力信号を前記電源装置に出力し、前記電源装置は、前記外部電源から入力される電圧を整流する整流部と、前記整流部の出力電圧を平滑化する平滑コンデンサと、前記平滑コンデンサにより平滑化された電圧を所定電圧に変換して前記特定の負荷に供給する電圧変換部と、前記整流部への電圧の入力の有無を検出して検出信号を出力する検出部と、前記電圧変換部と前記特定の負荷との間に介在された開閉スイッチと、前記状態制御部から入力される前記省電力信号及び前記検出部から入力される前記検出信号に基づいて、前記省電力信号が省電力モードである場合に、前記開閉スイッチを開き前記特定の負荷への電圧の供給を停止し、前記省電力信号が省電力モード状態で、前記検出信号が前記整流部への電圧の入力が無いことを示した場合には前記開閉スイッチを閉じて前記電圧変換部から前記特定の負荷へ電圧を供給させる出力制御部と、を有すること、を特徴とする画像形成装置である。
【００１１】
請求項３に記載の発明は、外部電源から供給される電圧を電源とする電源装置と、前記電源装置から電圧が供給される特定の負荷を含む複数の負荷と、当該特定の負荷の動作を制御する状態制御部と、を備えた画像形成装置において、前記状態制御部は、前記特定の負荷が省電力モードであるか否かを示す省電力信号を前記電源装置に出力し、前記電源装置は、前記外部電源から入力される電圧を整流する整流部と、前記整流部の出力電圧を平滑化する平滑コンデンサと、前記平滑コンデンサにより平滑化された電圧を所定電圧に変換して前記特定の負荷に供給する電圧変換部と、前記整流部への電圧の入力の有無を検出して検出信号を出力する検出部と、前記電圧変換部と前記特定の負荷との間に介在された開閉スイッチと、前記状態制御部から入力される前記省電力信号及び前記検出部から入力される前記検出信号に基づいて、前記省電力信号が省電力モードであることを示し、且つ、前記検出信号が前記整流部への電圧の入力が無いことを示した場合には前記開閉スイッチを閉じて前記電圧変換部から前記特定の負荷へ電圧を供給させる出力制御部と、を有し、前記検出部から前記検出信号が入力され、前記特定の負荷が省電力モードであり、且つ、前記検出信号が前記整流部への電圧の入力が無いことを示している場合には、前記特定の負荷の動作をリセットするリセット信号を前記特定の負荷へ出力すること、を特徴とする画像形成装置である。
【発明の効果】
【００１２】
請求項１に記載の発明によれば、負荷が省電力モード、且つ、検出信号が整流部への電圧入力が無い場合、開閉スイッチを閉じて電圧変換部から負荷へ電圧を供給にすることができるため、負荷に電圧を供給して平滑コンデンサに残留した電荷を消費することができ、平滑コンデンサに残留した電荷が消費されるまでの期間が長くなることを防ぐことができる。従って、大幅のコストアップをせずに、感電、負荷の破損、負荷の誤動作を防止でき、電源装置の安全性の向上を図ることができる。
【００１３】
請求項２に記載の発明によれば、特定の負荷が省電力モード、且つ、検出信号が整流部への電圧入力が無い場合、開閉スイッチを閉じて電圧変換部から特定の負荷へ電圧を供給にすることができるため、特定の負荷に電圧を供給して平滑コンデンサに残留した電荷を消費することができ、平滑コンデンサに残留した電荷が消費されるまでの期間が長くなることを防ぐことができる。従って、大幅のコストアップをせずに、感電、負荷の破損、負荷の誤動作を防止でき、電源装置の安全性の向上を図ることができる。
【００１４】
請求項３に記載の発明によれば、請求項２と同様の効果を得られるのは勿論のこと、リセット状態の特定の負荷に電圧を供給してコンデンサに残留した電荷を消費することができるため、コンデンサに残留した電荷が消費されるまでの期間、他の負荷や周辺部材への動作影響を防止して安全性を確保できる。
【図面の簡単な説明】
【００１５】
【図１】実施の形態１における画像形成装置内に設けられた電源装置の概略構成図である。
【図２】出力制御部で実行される動作のフローチャートである。
【図３】（ａ）は第１負荷が通常モードの場合のタイムチャートの例を示す図、（ｂ）は第１負荷が省電力モードの場合のタイムチャートの例を示す図である。
【図４】実施の形態２における画像形成装置内に設けられた電源装置の概略構成図である。
【図５】状態制御部で実行される動作のフローチャートである。
【図６】第２負荷が省電力モードの場合のタイムチャートの例を示す図である。
【発明を実施するための形態】
【００１６】
〔実施の形態１〕
以下、図を参照して本発明の実施の形態１を詳細に説明する。
まず、構成を説明する。
図１に、本実施の形態１における画像形成装置１内に設けられた電源装置２の概略構成を示す。
【００１７】
本実施の形態１における画像形成装置１は、原稿に書かれた文字や記号等のテキストデータ、図形や描画等のイメージデータ、写真等データ等の画像を画像データとして取得し、取得した画像データを用紙に画像形成するコピー機能や、パーソナルコンピュータの外部装置等から画像データを取得し、画像データが表す画像を用紙上に形成して出力するプリンタ機能等を備えたデジタル複合機である。
【００１８】
画像形成装置１は、画像形成装置の各部を統括的に制御する本体制御部、各種画面を表示したりユーザからの入力指示を受け付けたりする操作表示部、画像データを読み取る画像読取部、画像データに対して各種処理を施す画像処理部、画像データを保存する画像メモリ、画像データに基づいて用紙上に画像を形成するプリント部、プリント部内の各種ローラやファンを動作させるモータを駆動する駆動部、外部装置との通信を行う通信部等により構成され、各部は電気的に各種データを送受信可能な構成となっており、各種電源装置から各部に適した電圧値の電力供給を受けている。
【００１９】
図１に示す電源装置２は、状態制御部１０と第１負荷１１とに対して電力を供給するものである。
【００２０】
第１負荷１１は、画像形成装置１を構成する各部が備える複数の負荷のうち、省電力モードを含む複数のモードのうちいずれか一つのモードで動作し、省電力モードの場合には電源装置２からの電圧の供給が停止される特定の負荷である。更に、第１負荷１１は、通電時における動作により直接的に他の負荷へ動作影響を与えないものである。
【００２１】
第１負荷１１としては、例えば、操作表示部が備えるＬＣＤ（Liquid Crystal Display）の液晶回路部、プリント部が備える感光体ドラム上に書き込まれた静電潜像を消去するイレーサランプ、駆動部が備える各種冷却ファンを駆動するモータや用紙搬送経路上の用紙の送りローラのモータ等である。
【００２２】
省電力モードとは、第１負荷１１が予め設定された電圧値（定格電圧値）で動作するモード（通常モード）よりも低い電圧値で動作するモードである。省電力モードしては、例えば、スリープモード、ローパワーモード等が含まれる。また、副電源スイッチ１０ａからの指示信号により、第１負荷１１への電圧の供給が停止された場合も省電力モードとする。
【００２３】
副電源スイッチ１０ａは、操作表示部等に設けられ、状態制御部１０と電気的に接続されており、後述する出力制御スイッチ２５の開閉状態を切り替える指示信号を出力する。
【００２４】
状態制御部１０は、複数のモードに応じて第１負荷１１の動作を制御するものであり、第１負荷１１が省電力モードであるか否かを示す省電力信号を電源装置２に出力する。なお、状態制御部１０は、例えば、本体制御部又は各部が備えるコントローラ等である。
【００２５】
電源装置２は、商用電源等の外部電源から交流電圧が入力され、当該交流電圧を直流電圧に変換して画像形成装置１内の各種負荷に出力するものである。電源装置２は、図１に示すように、ＡＣ（alternating current）検出部２１と、整流回路部２２と、平滑コンデンサ２３と、ＤＣ／ＤＣ変換部２４と、出力制御スイッチ２５と、出力制御部２６と、第１供給路Ｌ１と、第２供給路Ｌ２とを備えている。
【００２６】
ＡＣ検出部２１は、外部電源から整流回路部２２へ電圧が入力される配線上に設けられており、外部電源から整流回路部２２へ入力される交流電圧（又は、交流電流）を検出する。そして、ＡＣ検出部２１は、外部電源から整流回路部２２への電圧の入力の有無を示す検出信号（ＡＣ検出信号）を出力制御部２６へ出力し、検出部として機能する。
【００２７】
整流回路部２２は、外部電源から入力される交流電圧を整流して出力する回路であり、整流部として機能する。例えば、例えばダイオードブリッジ等を用いて構成される。
【００２８】
平滑コンデンサ２３は、整流回路部２２とＤＣ／ＤＣ変換部２４との間の配線Ｌ０上の接続点Ｐの位置で一端部が接続され他端部が接地するように設けられており、整流回路部２２により出力される電圧を平滑化するコンデンサである。平滑コンデンサ２３は、平滑化を行う際に充電される。
【００２９】
ＤＣ／ＤＣ変換部２４は、配線Ｌ０における平滑コンデンサ２３の接続点Ｐと状態制御部１０及び第１負荷１１との間の配線に挿入接続されており、配線Ｌ０を介して入力される平滑化された電圧を状態制御部１０及び第１負荷１１において必要とされる所定電圧（例えば、＋５Ｖ）に変換して出力する回路であり、電圧変換部として機能する。
【００３０】
第１供給路Ｌ１は、ＤＣ／ＤＣ変換部２４から出力される電圧を出力制御スイッチ２５を介して第１負荷１１へ出力する第１の経路である。第２供給路Ｌ２は、ＤＣ／ＤＣ変換部２４から出力される電圧を状態制御部１０へ出力する第２の経路である。
【００３１】
出力制御スイッチ２５は、ＤＣ／ＤＣ変換部２４と第１負荷１１との間の第１供給路Ｌ１に介在されており、出力制御部２６からの指示に従って開閉し、ＤＣ／ＤＣ変換部２４から第１負荷１１への電圧を供給状態又は遮断状態に切り替える開閉スイッチとして機能する。
本実施の形態１では、出力制御スイッチ２５がＯＮの場合にはＤＣ／ＤＣ変換部２４から第１負荷１１への電圧が供給状態であり、ＯＦＦの場合にはＤＣ／ＤＣ変換部２４から第１負荷１１への電圧が遮断状態となるものとする。
【００３２】
出力制御部２６は、ＡＣ検出部２１から入力されるＡＣ検出信号、及び、状態制御部１０から入力される省電力信号に基づいて、出力制御スイッチ２５を切り替える。本実施の形態１の出力制御部２６は、省電力信号が第１負荷１１が省電力モードであることを示し、かつ、ＡＣ検出信号が整流回路部２２への電圧の入力がないことを示した場合には、出力制御スイッチ２５を閉じて（ＯＮに切り替え）、ＤＣ／ＤＣ変換部２４から第１負荷１１への電圧を供給させる。
出力制御部２６は、スイッチング回路等を用いたハードウエア、又はソフトウェアで構成される。
【００３３】
図２に、出力制御部２６で実行される動作のフローチャートを示す。
まず、外部電源から電源装置２に交流電圧が入力され（ＡＣ入力ＯＮ）、ＡＣ検出部２１が交流電圧を検出すると、ＡＣ検出部２１から出力されるＡＣ検出信号が外部電源から整流回路部２２への電圧の入力があることを示すＯＮとなり、当該ＡＣ検出信号が出力制御部２６に入力される。
【００３４】
出力制御部２６は、ＡＣ検出部２１から入力されるＡＣ検出信号がＯＮになると（ステップＳ１）、状態制御部１０から入力される省電力信号が省電力モードであることを示しているか否かを判別する（ステップＳ２）。
【００３５】
出力制御部２６は、省電力信号が省電力モードであることを示している場合（ステップＳ２；ＹＥＳ）、出力制御スイッチ２５を開いてＯＦＦにし（ステップＳ３）、省電力信号が省電力モードであることを示していない場合（ステップＳ２；ＮＯ）、出力制御スイッチ２５を閉じてＯＮにする（ステップＳ４）。
【００３６】
ステップＳ３又はステップＳ４後、出力制御部２６は、ＡＣ検出信号がＯＦＦか否か、即ち、外部電源から整流回路部２２への電圧の入力がないことを示しているか否かを判別する（ステップＳ５）。ＡＣ検出信号がＯＦＦでない場合（即ち、ＡＣ検出信号がＯＮの場合）（ステップＳ５；ＮＯ）、出力制御部２６は、ステップＳ２の処理に戻る。
【００３７】
ＡＣ検出信号がＯＦＦの場合（ステップＳ５；ＹＥＳ）、出力制御部２６は、状態制御部１０から入力される省電力信号が省電力モードであることを示しているか否かを判別する（ステップＳ６）。
【００３８】
省電力信号が省電力モードであることを示していない場合（ステップＳ６；ＮＯ）、出力制御部２６は、本処理を終了する。省電力信号が省電力モードであることを示している場合（ステップＳ６；ＹＥＳ）、出力制御部２６は、出力制御スイッチ２５を閉じてＯＮに切り替え（ステップＳ７）、本処理を終了する。
【００３９】
図３に、本実施の形態１におけるタイムチャートの例を示す。
図３（ａ）に、第１負荷が通常モードの場合のタイムチャートの例を示し、図３（ｂ）に、第１負荷が省電力モードの場合のタイムチャートの例を示す。
図３には、ＡＣ検出信号、状態制御部１０へ出力される第２供給路の出力電圧、出力制御スイッチ、第１負荷１１へ出力される第１供給路の出力電圧の動作状態の例を示す。
【００４０】
図３（ａ）に示すように、通常モードの場合、外部電源から整流回路部２２へ電圧が入力されＡＣ検出信号がＯＮ状態である場合には、出力制御スイッチがＯＮ状態となり、状態制御部１０及び第１負荷１１にそれぞれ電圧が供給されている（状態制御部への出力電圧＝ＯＮ、第１負荷への出力電圧＝ＯＮ）。このとき、外部電源からの電圧の入力が停止されＡＣ検出信号がＯＦＦになっても、出力制御スイッチがＯＮ状態を保つので、状態制御部１０及び第１負荷１１へは、平滑コンデンサ２３に残留した電荷によって規定時間電圧が供給され、規定時間経過後に、状態制御部１０及び第１負荷１１への電圧の供給が停止される（状態制御部への出力電圧＝ＯＦＦ、第１負荷への出力電圧＝ＯＦＦ）。
【００４１】
図３（ｂ）に示すように、省電力モードの場合、外部電源から整流回路部２２へ電圧が入力されＡＣ検出信号がＯＮ状態である場合には、出力制御スイッチがＯＦＦ状態となるため、状態制御部１０のみへ電圧が供給され、第１負荷１１へは電圧が供給されない（状態制御部への出力電圧＝ＯＮ、第１負荷への出力電圧＝ＯＦＦ）。
このとき、外部電源からの電圧の入力が停止されＡＣ検出信号がＯＦＦになると、出力制御スイッチが閉じてＯＦＦからＯＮ状態に切り替わるため、状態制御部１０及び第１負荷１１へは、平滑コンデンサに残留した電荷によって規定時間電圧が供給され（状態制御部への出力電圧＝ＯＮ、第１負荷への出力電圧＝ＯＮ）、規定時間経過後に、状態制御部１０及び第１負荷１１への電圧の供給が停止される（状態制御部への出力電圧＝ＯＦＦ、第１負荷への出力電圧＝ＯＦＦ）。
【００４２】
以上のように、本実施の形態１によれば、外部電源からの電圧の入力が停止された場合、第１負荷１１がＤＣ／ＤＣ変換部２４からの電圧の供給が停止される省電力モードの場合であっても、出力制御スイッチ２５が閉じられて第１負荷１１へ電圧を供給することができる。
そのため、外部電源からの電圧の入力が停止された場合、第１負荷１１が省電力モードの場合であっても、状態制御部１０及び第１負荷１１によって平滑コンデンサ２３に残留した電荷を消費させることができ、平滑コンデンサに残留した電荷が消費されるまでの期間が、通常モードよりも非常に長くなることを防ぐことができる。
従って、電源装置内に平滑コンデンサの残留電荷を放出するための装置を設けずとも、感電、負荷の破損、負荷の誤動作を防止でき、電源装置の安全性の向上を図ることができる。
【００４３】
また、第１負荷１１が、通電時において当該第１負荷１１の動作により直接的に画像形成装置内の他の負荷へ動作影響を与えないものであることにより、平滑コンデンサ２３に残留した電荷が消費されるまでの期間、他の負荷の動作影響を与えずに当該第１負荷１１に電圧が供給でき、安全性を確保できる。
【００４４】
〔実施の形態２〕
以下、図を参照して本発明の実施の形態２を詳細に説明する。
まず、構成を説明する。
図４に、本実施の形態２における画像形成装置３内に設けられた電源装置４の概略構成を示す。なお、図４に示す画像形成装置３、電源装置４において、図１に示す画像形成装置１、電源装置２と同様の部分には同様の符号を付し、説明は省略する。
【００４５】
図４に示す電源装置４は、状態制御部３０と第２負荷３１とに対して電力を供給するものである。
【００４６】
第２負荷３１は、画像形成装置３を構成する各部が備える複数の負荷のうち、省電力モードを含む複数のモードのうちいずれか一つのモードで動作し、省電力モードの場合には電源装置４からの電圧の供給が停止される特定の負荷である。更に、第２負荷３１は、通電時には、他の負荷や周辺部材に作用して動作させたり、誤動作してエラーを発生したりするおそれがあるものであり、他の負荷や周辺部材への動作影響を防止するために、省電力モード中はリセット状態を保つ必要があるものである。
なお、省電力モードについては、実施の形態１と同様であるため、説明は省略する。
【００４７】
第２負荷３１としては、例えば、画像形成装置３内の各部を起動させるためのプログラムを格納するメモリや、当該メモリ内のプログラムを実行する演算処理部等であり、例えば、本体制御部内の不揮発メモリやＣＰＵ等である。また、画像形成装置３がファクシミリ通信機能を備えている場合には、ファクシミリ通信用のデータを蓄積するメモリや、当該メモリを制御するメモリ制御部等である。
【００４８】
リセット状態とは、第２負荷３１が演算処理部の場合には、メモリ内のプログラムの実行を強制終了する状態である。また、第２負荷３１がメモリ制御部の場合には、メモリへのデータの書き込み動作、読み出し動作を強制終了する状態である。第２負荷３１がプログラムやデータを格納するメモリである場合には、当該メモリにプログラムの展開、データの書き込み、データの読み出しが不可となる状態である。
【００４９】
状態制御部３０は、複数のモードに応じて第２負荷３１の動作を制御するものであり、第２負荷３１が省電力モードであるか否かを示す省電力信号を電源装置４に出力する。また、状態制御部３０は、ＡＣ検出部４１からＡＣ検出信号が入力される。状態制御部３０は、第２負荷３１が省電力モードで動作しており、且つ、ＡＣ検出信号が外部電源から整流回路部２２への電圧の入力がないことを示した場合、第２負荷３１に対して当該第２負荷の動作をリセットするリセット信号を出力する。
なお、状態制御部３０は、例えば、本体制御部又は各部が備えるコントローラ等である。
【００５０】
電源装置４は、商用電源等の外部電源から交流電圧が入力され、当該交流電圧を直流電圧に変換して画像形成装置３内の各種負荷に出力するものである。電源装置４は、図４に示すように、ＡＣ検出部４１と、整流回路部２２と、平滑コンデンサ２３と、ＤＣ／ＤＣ変換部２４と、出力制御スイッチ２５と、出力制御部２６と、第１供給路Ｌ１と、第２供給路Ｌ２とを備えている。
【００５１】
ＡＣ検出部４１は、外部電源から整流回路部２２への電圧が入力される配線上に設けられており、外部電源から整流回路部２２へ入力される交流電圧（又は、交流電流）を検出する。そして、ＡＣ検出部４１は、外部電源から整流回路部２２への電圧の入力の有無を示す検出信号（ＡＣ検出信号）を出力制御部２６と状態制御部３０とへ出力し、検出部として機能する。
【００５２】
整流回路部２２、平滑コンデンサ２３、ＤＣ／ＤＣ変換部２４、出力制御スイッチ２５、出力制御部２６、第１供給路Ｌ１、第２供給路Ｌ２は、実施の形態１と同様であるから、説明は省略する。
また、本実施の形態２における出力制御部２６で実行される動作フローも、実施の形態１の図２に示す動作フローと同様であるため、図示及び説明は省略する。
【００５３】
図５に、状態制御部３０で実行される動作のフローチャートを示す。
状態制御部３０は、ＡＣ検出部４１から入力されるＡＣ検出信号がＯＦＦか否か、即ち、外部電源から整流回路部２２への電圧の入力がないことを示しているか否かを判別する（ステップＳ１１）。ＡＣ検出信号がＯＦＦでない場合（即ち、ＡＣ検出信号がＯＮの場合）（ステップＳ１１；ＮＯ）、状態制御部３０は、本処理を終了する。
【００５４】
ＡＣ検出信号がＯＦＦの場合（ステップＳ１１；ＹＥＳ）、状態制御部３０は、第２負荷が省電力モードか否かを判別する（ステップＳ１２）。第２負荷が省電力モードではない場合（ステップＳ１２；ＮＯ）、状態制御部３０は、本処理を終了する。
【００５５】
第２負荷が省電力モードの場合（ステップＳ１２；ＹＥＳ）、状態制御部３０は、リセット信号を第２負荷に出力し（ステップＳ１３）、本処理を終了する。
【００５６】
図６に、本実施の形態２における第２負荷が省電力モードの場合のタイムチャートの例を示す。なお、第２負荷が通常モードの場合のタイムチャートは、実施の形態１での第１負荷が通常モードの場合のタイムチャート（図３（ａ）参照）と同様であるため、図示及び説明は省略する。
図６には、ＡＣ検出信号、状態制御部３０へ出力される第２供給路の出力電圧、出力制御スイッチ、第２負荷３１へ出力される第１供給路の出力電圧、リセット信号の動作例を示す。
【００５７】
図６に示すように、省電力モードの場合、外部電源から整流回路部２２へ電圧が入力されＡＣ検出信号がＯＮ状態である場合には、出力制御スイッチがＯＦＦ状態となるため、状態制御部３０のみへ電圧が供給され、第２負荷３１には電圧が供給されない（状態制御部への出力電圧＝ＯＮ、第２負荷への出力電圧＝ＯＦＦ）。
このとき、外部電源からの電圧の入力が停止されＡＣ検出信号がＯＦＦになると、出力制御スイッチが閉じてＯＦＦからＯＮ状態に切り替わるため、状態制御部３０及び第２負荷３１へは、平滑コンデンサに残留した電荷によって規定時間電圧が供給され（状態制御部への出力電圧＝ＯＮ、第２負荷への出力電圧＝ＯＮ）、規定時間経過後に、状態制御部３０及び第２負荷３１への電圧の供給が停止される（状態制御部への出力電圧＝ＯＦＦ、第２負荷への出力電圧＝ＯＦＦ）。
【００５８】
また、外部電源からの電圧の入力が停止されＡＣ検出信号がＯＦＦになると、リセット信号が出力され（リセット信号＝ＯＮ）、第２負荷３１がリセット状態となり、第２負荷３１は、平滑コンデンサからの電圧の供給を受けて通電してもリセット状態を保つこととなる。
【００５９】
以上のように、本実施の形態２によれば、外部電源からの電圧の入力が停止された場合、第２負荷３１がＤＣ／ＤＣ変換部２４からの電圧の供給が停止される省電力モードの場合であっても、出力制御スイッチ２５が閉じられてリセット状態の第２負荷３１へ電圧を供給することができる。
そのため、外部電源からの電圧の入力が停止された場合、第２負荷３１が省電力モードの場合であっても、状態制御部３０及びリセット状態となった第２負荷３１によって平滑コンデンサ２３に残留した電荷を消費させることができ、平滑コンデンサに残留した電荷が消費されるまでの期間が、通常モードよりも非常に長くなることを防ぐことができる。
また、このコンデンサに残留した電荷が消費されるまでの期間は、第２負荷３１による他の負荷や周辺部材への動作影響を防止して安全性を確保できる。
従って、電源装置内に平滑コンデンサの残留電荷を放出するための装置を設けずとも、感電、負荷の破損、負荷の誤動作を防止でき、電源装置の安全性の向上を図ることができる。
【００６０】
また、本発明は、上記実施の形態の内容に限定されるものではなく、本発明の主旨を逸脱しない範囲で適宜変更可能である。
例えば、実施の形態１と実施の形態２とを組み合わせてもよい。
【符号の説明】
【００６１】
１、３  画像形成装置
２、４  電源装置
１０、３０  状態制御部
１０ａ  副電源スイッチ
１１  第１負荷
２１、４１  ＡＣ検出部
２２  整流回路部
２３  平滑コンデンサ
２４  ＤＣ／ＤＣ変換部
２５  出力制御スイッチ
２６  出力制御部
３１  第２負荷
Ｌ１  第１供給路
Ｌ２  第２供給路
【図１】
0005533071.tif 000002
【図２】
0005533071.tif 000003
【図３】
0005533071.tif 000004
【図４】
0005533071.tif 000005
【図５】
0005533071.tif 000006
【図６】
0005533071.tif 000007